(57)【要約】【課題】着用時におけるサイドシール部の剥がれを防止し、且つ脱衣時におけるサイドシール部の引き裂きを容易に行うことができるパンツ型着用物品を提供すること。【解決手段】パンツ型着用物品は、腹側部Ａの両側部と背側部Ｂの両側部とが接合されていることによって一対のサイドシール部８，８が形成されている。サイドシール部８，８は、腹側部Ａと背側部Ｂとが融着した融着部８１を有し、且つ該サイドシール部８，８におけるシート間に接合強度低減剤６６が配されている。接合強度低減剤６６は、サイドシール部８，８の幅方向８Ｙにおいて、該サイドシール部８，８の外側部分８ｂに内側部分８ａより多く配されている。【選択図】図３
2018088945.tif 000002
【特許請求の範囲】
【請求項１】
着用時に着用者の腹側に配される腹側部と背側に配される背側部とを有し、腹側部の両側部と背側部の両側部とが接合されていることによって一対のサイドシール部、ウエスト開口部及び一対のレッグ開口部が形成されているパンツ型着用物品であって、
前記サイドシール部は、前記腹側部と前記背側部とが融着した融着部を有し、且つ該サイドシール部におけるシート間に接合強度低減剤が配されており、
前記接合強度低減剤は、前記サイドシール部の幅方向において、該サイドシール部の外側部分に内側部分より多く配されている、パンツ型着用物品。
【請求項２】
前記融着部は、前記サイドシール部の長手方向に間欠的に形成されている、請求項１に記載のパンツ型着用物品。
【請求項３】
前記融着部は、前記サイドシール部の長手方向に沿う長さより該サイドシール部の幅方向に沿う長さが長い形状である、請求項２に記載のパンツ型着用物品。
【請求項４】
前記サイドシール部は、前記幅方向の外側部分に、前記接合強度低減剤が配されている剤配置部を有し、前記幅方向の内側部分に、前記接合強度低減剤が配されていないか又は前記接合強度低減剤が前記剤配置部より低坪量に配されている剤非配置部を有している、請求項１〜３の何れか１項に記載のパンツ型着用物品。
【請求項５】
前記サイドシール部の長手方向における前記融着部の配置ピッチが、前記サイドシール部の幅方向における前記剤非配置部の長さより長く、且つ該幅方向における前記融着部の長さより短い、請求項４に記載のパンツ型着用物品。
【請求項６】
前記サイドシール部は、該サイドシール部を構成するシートが、ポリプロピレン製のスパンボンド不織布である、請求項１〜５の何れか１項に記載のパンツ型着用物品。
【請求項７】
前記スパンボンド不織布に、熱圧着部が散点状に形成されており、前記熱圧着部どうし間の最短距離が６．０ｍｍ以下である、請求項６に記載のパンツ型着用物品。
【請求項８】
前記サイドシール部は、サイドシール部を構成するシートの積層枚数が複数である多数層領域と、該多数層領域よりもシートの枚数が少ない少数層領域とを有しており、
前記多数層領域は、前記少数層領域よりも前記サイドシール部の幅方向における前記融着部の長さが短い、請求項１〜７の何れか１項に記載のパンツ型着用物品。
【請求項９】
前記サイドシール部は、サイドシール部を構成するシートの積層枚数が複数である多数層領域と、該多数層領域よりもシートの枚数が少ない少数層領域とを有しており、
前記多数層領域は、前記少数層領域よりも前記接合強度低減剤の量が多い、請求項１〜８の何れか１項に記載のパンツ型着用物品。
【請求項１０】
前記サイドシール部は、前記ウエスト開口部側の端部におけるシール強度が１８Ｎ以下である、請求項１〜９の何れか１項に記載のパンツ型着用物品。
【請求項１１】
前記接合強度低減剤がホットメルト接着剤である、請求項１〜１０の何れか１項に記載のパンツ型着用物品。
【発明の詳細な説明】
【技術分野】
【０００１】
本発明はパンツ型着用物品に関する。
【背景技術】
【０００２】
従来、着用時に着用者の腹側に配される腹側部と背側に配される背側部とを有し、腹側部の両側部と背側部の両側部とが接合されていることによって一対のサイドシール部、ウエスト開口部及び一対のレッグ開口部が形成されているパンツ型着用物品が知られている。また、種々の観点から、サイドシール部における接合パターン等が検討されたパンツ型の着用物品が提案されている。
例えば、特許文献１には、前身頃の両側部と後身頃の両側部とが溶着接合されてサイドシール部が形成された、パンツタイプ使い捨ておむつにおいて、前記サイドシール部における少なくとも縦方向の一部に、四層以下の不織布からなるとともにその少なくとも前後面をなす各不織布が易伸長領域を有しており、少なくとも前記易伸長領域における幅方向全体、幅方向の一部、又は幅方向内側隣接部が、易伸長不織布の内面に塗布されたホットメルト接着剤層により難伸長化されている、ことを特徴とするパンツタイプ使い捨ておむつが記載されている。特許文献１によれば、サイドシール部の素材が伸び難くなっているため力がしっかりとサイドシール部に加わり、意図せぬ方向に引き裂かれることなくサイドシール部を剥がすことができる。
【０００３】
また、本出願人は、先に、腹側部及び背側部における外装体に、幅方向に延びる複数の弾性部材が配置されており、該腹側部の両側縁部と該背側部の両側縁部とを互いに重ね合わせて接合して形成された一対のサイドシール部を有するパンツ型着用物品であって、前記弾性部材は、前記外層シートと前記内層シートの間において接着剤によってこれらのシートに固定されており、前記接着剤による前記弾性部材の固定は、該弾性部材の両端域において行われ、前記接着剤を施した領域が、前記サイドシール部の幅方向における外方寄りの側縁よりも、内方に位置しており、前記両端域間の部位においては、前記弾性部材は前記外層シート及び前記内層シートと非接合状態になっている、パンツ型着用物品を提案した（特許文献２）。このパンツ型着用物品によれば、サイドシール部は超音波を用いた接合により形成されているため、硬い肌触りになることが効果的に防止される。
【０００４】
さらに、本出願人は、先に、外装体における縦方向Ｘの一端部側の前記側部域及び他端部側の前記側部域は、複数枚のシートの積層構造からなるとともに、積層された該シートの枚数が異なる複数の部位が、該側部域の縦方向Ｘに沿って配列して構成されており、複数の前記部位においては、積層されたシートの枚数に応じた量のシール熱低減剤が該シート間に配されており、かつ前記サイドシール部における、対向する前記側部域間には、前記シール熱低減剤が配されていないパンツ型使い捨ておむつを提案した（特許文献３）。このパンツ型使い捨ておむつによれば、装着中のサイドシール部の破れや部分的な剥がれ等が生じず、かつ脱着時に引き剥がし易い。
【先行技術文献】
【特許文献】
【０００５】
【特許文献１】特開２０１３−２０２０５２号公報
【特許文献２】特開２０１３−１４６５４９号公報
【特許文献３】特許第５０８６０５５号公報
【発明の概要】
【発明が解決しようとする課題】
【０００６】
パンツ型着用物品は、着用時にはサイドシール部の接合部分の剥がれ防止が求められている一方、使用後の脱衣時にはサイドシール部の引き裂きが容易であることが求められている。しかし、特許文献１〜３に記載のパンツタイプ使い捨ておむつ等は、サイドシール部の着用時における剥がれ防止と、使用後の脱衣時における引き裂き容易性との両立に改善の余地がある。
【０００７】
本発明の課題は、従来技術が有する課題を解決し得るパンツ型着用物品を提供することにある。
【課題を解決するための手段】
【０００８】
本発明は、着用時に着用者の腹側に配される腹側部と背側に配される背側部とを有し、腹側部の両側部と背側部の両側部とが接合されていることによって一対のサイドシール部、ウエスト開口部及び一対のレッグ開口部が形成されているパンツ型着用物品であって、前記サイドシール部は、前記腹側部と前記背側部とが融着した融着部を有し、且つ該サイドシール部におけるシート間に接合強度低減剤が配されており、前記接合強度低減剤は、前記サイドシール部の幅方向における外側部分に内側部分より多く配されている、パンツ型着用物品を提供するものである。
【発明の効果】
【０００９】
本発明のパンツ型着用物品によれば、着用時におけるサイドシール部の剥がれを防止できるとともに、使用後の脱衣時におけるサイドシール部の引き裂きも容易に行うことができる。
【図面の簡単な説明】
【００１０】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す平面図である。
【図３】図３（ａ）は、本発明に係るサイドシール部を示す模式図であり、図３（ｂ）は、図３（ａ）のサイドシール部の一部の拡大図である。
【図４】図４（ａ）は、図２のＹ１−Ｙ１線断面図、図４（ｂ）は、図２のＹ２−Ｙ２線断面図、図４（ｃ）は、サイドシール部の拡大図である。
【図５】図５（ａ）は、パンツ型着用物品のサイドシール部を形成するためのシール装置を用いてシール工程を行う様子を示す模式断面図であり、図５（ｂ）は、図５（ａ）の一部を拡大して示す模式拡大断面図である。
【発明を実施するための形態】
【００１１】
以下、本発明のパンツ型吸収性物品をその好ましい実施形態に基づいて説明する。
本発明の一実施形態であるパンツ型使い捨ておむつ１（以下、「おむつ１」ともいう。）は、図１に示すように、着用時に着用者の腹側に配される腹側部Ａと背側に配される背側部Ｂとを有し、腹側部Ａの両側部と背側部Ｂの両側部とが接合されていることによって一対のサイドシール部８，８、ウエスト開口部ＷＯ及び一対のレッグ開口部ＬＯ，ＬＯが形成されている。
おむつ１は、内層シート６２と外層シート６１とから構成される外装体６を備え、着用時に着用者の腹側に配される腹側部Ａと、背側に配される背側部Ｂと、これらの間に位置する股下部Ｃとを有している。股下部Ｃは、腹側部Ａと背側部Ｂとの間に位置し、着用時には着用者の股間部に配される。また、おむつ１は、腹側部Ａから股下部Ｃを介して背側部Ｂに延びる縦方向Ｘとこれに直交する横方向Ｙとを有している。また、図１及び図３に示すように、一対のサイドシール部８，８は、腹側部Ａの両側部と背側部Ｂの両側部とが融着した融着部８１を有している。より具体的には、一対のサイドシール部８，８は、腹側部Ａの両側部６ａ，６ａと、背側部Ｂの両側部６ｂ，６ｂとを互いに重ね合わせた重合部７，７を、縦方向Ｘに沿う複数個所を、加熱及び加圧することによって形成されている。
【００１２】
本実施形態のおむつ１は、図１，図２に示すように、腹側部Ａから股下部Ｃを通って背側部Ｂに向かう方向に延びる縦方向中心線ＣＬに対して左右対称である。従って、以下の説明では、主に、図１及び図２における左側の構成について説明するが、右側の構成も左右対称である以外は同様である。また、おむつ１は、図２に示すように展開且つ伸長状態において、腹側部Ａから股下部Ｃを介して背側部Ｂに延びる縦方向Ｘと、これに直交する横方向Ｙとを有している。おむつ１の「展開且つ伸長状態」とは、パンツ型着用物品の両側部に存する接合部（サイドシール部８）を引き裂いて、パンツ型着用物品を展開状態とし、その展開状態のパンツ型着用物品を各部の弾性部材を伸長させて設計寸法（弾性部材の影響を一切排除した状態で平面状に広げたときの寸法と同じ）となるまで拡げた状態をいう。
【００１３】
本実施形態のおむつ１は、図２に示すように、外装体６の肌対向面側に、吸収体４を含む吸収性本体５が固定されている。
外装体６は、吸収性本体５の周縁部の外方全域に亘って延出している。外装体６は、図２に示すように、その両側縁が、縦方向Ｘの中央部において、それぞれ内方に向かって凸の円弧状に湾曲しており、縦方向Ｘの中央部が括れた形状を有している。また、外装体６は、図１及び図２に示すように、外層シート６１と、内層シート６２とを備えている。
外装体６を構成する外層シート６１は、おむつの非肌対向面を形成し、内層シート６２は、外層シート６１の肌対向面側に配されている。そして、それらの外層シート６１及び内層シート６２が、それぞれ縦方向Ｘにおける吸収性本体５の端部より外方部分において内層シート６２側に折り返されており、外層シートの折り返し部分６１ａ，６１ｂ及び内層シートの折り返し部分６２ａ，６２ｂを有している。
【００１４】
本明細書において、「肌対向面」は、着用物品又はその構成部材（例えば外装体）における、着用物品の着用時に着用者の肌側に向けられる面、即ち相対的に着用者の肌に近い側であり、「非肌対向面」は、吸収性物品又はその構成部材における、着用物品の着用時に肌側とは反対側に向けられる面、即ち相対的に着用者の肌から遠い側である。
【００１５】
外装体６は、外層シート６１及び内層シート６２間に配設固定された、複数本のウエスト弾性部材６３、複数本のレッグ弾性部材６４及び複数本の胴回り部弾性部材６５を有している。
複数本のウエスト弾性部材６３は、図１に示すように、腹側部Ａ及び背側部Ｂそれぞれのウエスト開口部ＷＯの周縁部に設けられている。各胴回り部弾性部材６５は、伸長状態で、おむつ１の横方向Ｙに沿って配設固定されている。おむつ１の横方向Ｙは、着用時における着用者のウエスト周りないし胴回りの周方向と同方向である。複数本のレッグ弾性部材６４は、図２に示すように、レッグ開口部ＬＯの周縁部に設けられており、各レッグ弾性部材６４は、伸長状態で、レッグ開口部ＬＯの周方向に沿って配設固定されている。複数本の胴回り部弾性部材６５は、図２に示すように、腹側部Ａ及び背側部Ｂそれぞれにおいて、ウエスト弾性部材６３の配置部位と股下部Ｃの端部との間に配されている。胴回り部弾性部材６５は、前記中心線ＣＬの左右両側に分割された状態で、それぞれおむつ１の幅方向に沿って配設固定されている。
【００１６】
外層シート６１を構成するシート材は、ウエスト開口部ＷＯの周縁端Ｗｅにおいて、内層シート６２側に折り返されて、外層シートの折り返し部分６１ａ，６１ｂを形成している。
腹側部Ａにおける外層シートの折り返し部分６１ａは、図２に示すように、その縦方向Ｘの端縁が、吸収性本体５の縦方向Ｘの腹側部Ａ側の端縁よりも股下部Ｃ寄りの位置まで延びている。同様に、背側部Ｂにおける外層シートの折り返し部分６１ｂも、図２に示すように、その縦方向Ｘの端縁が、吸収性本体５の縦方向Ｘの背側部Ｂ側の端縁よりも股下部Ｃ寄りの位置まで延びている。
内層シート６２を構成するシート材も、ウエスト開口部ＷＯの周縁端Ｗｅにおいて、外層シート６１と一体的に、内層シート６２側に折り返されて、内層シートの折り返し部分６２ａ，６２ｂを形成している。
【００１７】
本実施形態のおむつ１においては、サイドシール部８，８におけるシート間に接合強度低減剤６６が配されている。より具体的には、図４（ａ）に示すように、腹側部Ａにおいて内層シートの折り返していない部分６２ｃと外層シートの折り返していない部分６１ｃとの間、及び内層シートの折り返し部分６２ａと外層シートの折り返し部分６１ａとの間に接合強度低減剤６６が配されている。同様に、図４（ｂ）に示すように、背側部Ｂにおいて内層シートの折り返していない部分６２ｄと外層シートの折り返していない部分６１ｄとの間、及び内層シートの折り返し部分６２ｂと外層シートの折り返し部分６１ｂとの間に接合強度低減剤６６が配されている。このように、接合強度低減剤６６は腹側部Ａ及び背側部Ｂのそれぞれを構成するシート間のいずれかに配されていれば良い。例えば、腹側部Ａ又は背側部Ｂを構成するシートの折り返し部分どうしの間、腹側部Ａ又は背側部Ｂを構成するシートの折り返していない部分どうしの間、及び腹側部Ａ又は背側部Ｂを構成するシートの折り返し部分と折り返していない部分との間の何れかに、接合強度低減剤６６が配されていれば良い。
【００１８】
接合強度低減剤６６は、サイドシール部８の幅方向８Ｙにおいて、サイドシール部８の外側部分８ｂに内側部分８ａより多く配されている。より具体的には、接合強度低減剤６６は、図３（ａ）及び（ｂ）に示すように、サイドシール部８の幅方向８Ｙにおいて、サイドシール部８の外側部分８ｂに偏って配されている。また、接合強度低減剤６６は、サイドシール部８の長手方向８Ｘの略全域に亘って配されている。本発明において、接合強度低減剤６６は、サイドシール部８の幅方向８Ｙにおける外側部分８ｂに、該サイドシール部８の幅方向８Ｙにおける内側部分８ａより多く配されていればよく、サイドシール部８の内側部分８ａから外側部分８ｂにかけて、接合強度低減剤６６の量が連続的に増加するように配されていても良い。サイドシール部８は、その幅内に、接合強度低減剤６６が配されている外側部分８ｂと、接合強度低減剤６６が配されていない内側部分８ａとを有していても良いし、サイドシール部８の幅内に、接合強度低減剤６６が配されている外側部分８ｂと、接合強度低減剤６６が配されているが、外側部分８ｂに比して接合強度低減剤６６の坪量が低い内側部分８ａとを有していても良い。
サイドシール部８の幅方向８Ｙにおいて、内側部分は、パンツ型着用物品の着用時に、外側部分と比較したときに、該外側部分よりも着用者の肌に近い側に位置する部分であり、外側部分は、内側部分と比較したときに、該内側部分よりも、着用者の肌から遠い側に位置する部分である。サイドシール部８の長手方向８Ｘは、サイドシール部８が延びる方向であり、通常、パンツ型着用物品の縦方向Ｘに沿う方向である。サイドシール部８の幅方向８Ｙは、サイドシール部８の長手方向８Ｘに直交する方向であり、通常、パンツ型着用物品の横方向Ｙに沿う方向である。
【００１９】
パンツ型着用物品の着用中には、サイドシール部８に、パンツ型着用物品の横方向Ｙにおける内方から外方に向かって、サイドシール部８を腹側部Ａ側と背側部Ｂ側とに引き剥がす力が加わる。従来のパンツ型着用物品は、この引き剥がす力によって、サイドシール部８が剥がれることがあった。そのため、サイドシール部８は、着用時に加わる引き剥がす力に耐え得る強度を有することが求められている。
他方、使用後の脱衣時には、サイドシール部８を引き裂いて、パンツ型着用物品を脱衣することが行われている。そのため、パンツ型着用物品のサイドシール部８は、容易に引き裂くことができることも求められている。しかしながら、サイドシール部に、パンツ型着用物品の着用時における引き剥がす力に耐え得る強度を担保すると、パンツ型着用物品の脱衣時に大きな引き裂き力を要することになり、脱衣時におけるサイドシール部８の引き裂きが困難になる。
【００２０】
上記の課題に対し、本発明に係るサイドシール部は、腹側部Ａと背側部Ｂとが融着した融着部８１を有し、且つ該サイドシール部８，８におけるシート間に接合強度低減剤６６が配されており、さらに、接合強度低減剤６６は、サイドシール部８の幅方向８Ｙにおいて、該サイドシール部８，８の外側部分８ｂに内側部分８ａより多く配されているため、パンツ型着用物品の脱衣時にサイドシール部８を容易に引き裂くことができる。
通常、サイドシール部８の長手方向８Ｘの上方且つ幅方向８Ｙの外側の端部から、長手方向８Ｘの下方且つ幅方向８Ｙの内側に向かった斜め方向（以下、引き裂き方向ともいう）に剥離界面が存在する。つまり、サイドシール部８の幅方向８Ｙにおける外側部分８ｂは、剥離界面と重なっている。本発明に斯かる前記外側部分８ｂは、前記内側部分８ａよりも接合強度低減剤６６が多く配されていることにより〔図３（ｂ）参照〕、該外側部分８ｂの接合強度（以下、シール強度ともいう）が内側部分８ａに比して低いため、剥離界面全体としての接合強度を低減することができる。その結果、サイドシール部８を引き裂く際、その引き裂きに要する力（以下、引き裂き力ともいう）も低減することができるため、サイドシール部８，８の引き裂きを容易に行うことができる。
他方、本発明のパンツ型着用物品におけるサイドシール部８は、その内側部分８ａに接合強度低減剤が配されていないか、外側部分８ｂより接合強度低減剤が少なく配されていることによって、内側部分８ａの接合強度を高くすることができ、パンツ型着用物品の着用時においてサイドシール部８，８を引き剥がす力に耐えることができ、サイドシール部が剥がれることを防止することができる。
【００２１】
また、従来のパンツ型着用物品においては、サイドシール部８を引き裂いていく際、引き裂き力が、幅方向８Ｙにおける融着部の内側部分８ａ側の端部にまで及ぶと、引き裂き方向がさらに幅方向８Ｙの内方に延びて、外装体６を横方向Ｙの内方に引き裂いてしまう場合があり、パンツ型着用物品の脱衣操作がさらに困難になることがあった。
これに対して、本発明のパンツ型着用物品においては、サイドシール部８，８の外側部分８ｂに接合強度低減剤６６が内側部分８ａより多く配されていることにより、サイドシール部８，８における外側部分８ｂの接合強度が内側部分８ａより低くなっている。これにより、剥離界面上の外側にある、接合強度低減剤６６が多く存在している、シール強度が低い部位が優先的に剥離して、全体のシール強度を緩和するような働きをすることで、外装体６が内方に引き裂かれる強度よりも低い強度でシールが剥離するようになるため、外装体６を横方向Ｙの内方に引き裂いてしまうことを防ぐこともできる。
【００２２】
サイドシール部８，８における融着部８１は、サイドシール部８，８の全域に１個形成されていても良く、図３（ａ）及び（ｂ）に示すように複数個形成されていても良い。また、融着部８１の形成パターンは特に制限されず、例えば、ベタ塗り状、ストライプ状、又は格子状に形成することができる。
【００２３】
融着部８１は、図３（ａ）及び（ｂ）に示すように、サイドシール部８，８の長手方向８Ｘに沿う長さＬより該サイドシール部８，８の幅方向８Ｙに沿う長さＷ１が長い形状であることが好ましい。斯かる構成により、パンツ型着用物品の着用時において、サイドシール部８を引き剥がす力に対抗し得る強度をより向上させることができ、且つ脱衣時におけるサイドシール部８の引き裂きをより容易に行うことができる。
上記の効果をより確実に奏させるため、融着部８１は以下の寸法であることが好ましい。以下において「長手方向８Ｘ」及び「幅方向８Ｙ」は、サイドシール部８，８の長手方向８Ｘ及び幅方向８Ｙを示す。
【００２４】
融着部８１の幅方向８Ｙに沿う長さＷ１は、該融着部８１の長手方向８Ｘに沿う長さＬに対して、好ましくは１００％以上、より好ましくは４００％以上であり、また好ましくは１０００％以下、より好ましくは８００％以下であり、また好ましくは１００％以上１０００％以下、より好ましくは４００％以上８００％以下である。
また、融着部８１の幅方向８Ｙに沿う長さＷ１は、好ましくは０．５ｍｍ以上、より好ましくは１ｍｍ以上であり、また好ましくは１０ｍｍ以下、より好ましくは４ｍｍ以下であり、また好ましくは０．５ｍｍ以上１０ｍｍ以下、より好ましくは１ｍｍ以上４ｍｍ以下である。
また、融着部８１の長手方向８Ｘに沿う長さＬは、好ましくは０．１ｍ以上、より好ましくは０．３ｍｍ以上であり、また好ましくは２ｍｍ以下、より好ましくは０．６ｍｍ以下であり、また好ましくは０．１ｍｍ以上２ｍｍ以下、より好ましくは０．３ｍｍ以上０．６ｍｍ以下である。
【００２５】
本発明のサイドシール部８，８は、該サイドシール部８，８の長手方向８Ｘに連続に形成されていても良く、非連続に形成されていても良い。
本実施形態のサイドシール部８，８は、複数の融着部８１が、サイドシール部８，８の長手方向８Ｘに沿って非連続に形成されており、融着部８１間に間隔を有している。斯かる構成により、パンツ型着用物品の着用時におけるサイドシール部８，８の接合強度を向上させることができる。このように、融着部８１は、サイドシール部８，８の長手方向８Ｘに間欠的に形成されていることが好ましい。
上記の効果をより確実に奏させるため、サイドシール部８，８の長手方向８Ｘに隣り合う融着部８１どうしの間隔Ｄ〔図３（ｂ）参照〕は、好ましくは０．１ｍｍ以上、より好ましくは１ｍｍ以上であり、また好ましくは１０ｍｍ以下、より好ましくは４ｍｍ以下であり、また好ましくは０．１ｍｍ以上１０ｍｍ以下、より好ましくは１ｍｍ以上４ｍｍ以下である。
【００２６】
脱衣時におけるサイドシール部８の引き裂きをより容易に行う観点から、サイドシール部８，８は、前記幅方向８Ｙの外側部分８ｂに、接合強度低減剤６６が配されている剤配置部８４を有し、前記幅方向８Ｙの内側部分８ａに、接合強度低減剤６６が配されていないか又は接合強度低減剤６６が剤配置部８４より低坪量に配されている剤非配置部８３を有していることが好ましい。接合強度低減剤６６が配されている又は配されていないとは、サイドシール部８，８の厚み方向において接合強度低減剤６６と重なる又は重ならないことを意味する。
このような形態として、図３（ａ）及び（ｂ）に示すように、サイドシール部８の幅方向８Ｙの外側部分８ｂに、接合強度低減剤６６が配されている剤配置部８４を有し、幅方向８Ｙの内側部分８ａに、接合強度低減剤６６が配されていない剤非配置部８３を有するものが挙げられる。また、サイドシール部８の幅方向８Ｙに亘って接合強度低減剤が配されているものであって、サイドシール部８の幅方向８Ｙにおける内側部分８ａに、接合強度低減剤６６が、剤配置部８４より低坪量に配されている剤非配置部８３を有するものが挙げられる。後者の形態として、さらに接合強度低減剤６６が内側部分８ａから外側部分８ｂにかけて非連続的又は連続的に変化しているものが挙げられる。このように、サイドシール部８の幅方向８Ｙに亘って接合強度低減剤６６が配されている場合、剤配置部８４と、剤非配置部８３とは、接合強度低減剤６６の坪量によって区別される。具体的には、剤配置部８４における接合強度低減剤６６の坪量に対して、接合強度低減剤６６の坪量が５０％以下である部分が剤非配置部８３である。
【００２７】
剤配置部８４における接合強度低減剤６６の坪量は、好ましくは１ｇ／ｍ２以上、より好ましくは２０ｇ／ｍ２以上であり、また好ましくは１００ｇ／ｍ２以下、より好ましくは６０ｇ／ｍ２以下であり、また好ましくは１ｇ／ｍ２以上１００ｇ／ｍ２以下、より好ましくは２０ｇ／ｍ２以上６０ｇ／ｍ２以下である。
また、剤非配置部８３における接合強度低減剤６６の坪量は、好ましくは０ｇ／ｍ２以上、より好ましくは５ｇ／ｍ２以上であり、また好ましくは５０ｇ／ｍ２以下、より好ましくは３０ｇ／ｍ２以下であり、また好ましくは０ｇ／ｍ２以上５０ｇ／ｍ２以下、より好ましくは５ｇ／ｍ２以上３０ｇ／ｍ２以下である。
【００２８】
パンツ型着用物品の着用時におけるサイドシール部８の剥がれ防止と、脱衣時におけるサイドシール部８の引き裂きの容易性とをより確実に両立する観点から、サイドシール部８，８の長手方向８Ｘにおける融着部８１の配置ピッチＰ〔図３（ｂ）参照〕が、サイドシール部８，８の幅方向８Ｙにおける剤非配置部８３の長さＷ２〔図３（ｂ）参照〕よりも長く、且つ該幅方向８Ｙにおける融着部８１の長さＷ１よりも短いことが好ましい。融着部８１の配置ピッチＰは、図３（ｂ）に示すように、サイドシール部８，８の長手方向８Ｘにおける融着部８１の下端８１Ｂ１から、該融着部８１と縦方向Ｘに隣り合う別の融着部８１の下端８１Ｂ２までの長さＰである。上記と同様の観点から、融着部８１の配置ピッチＰは、以下の範囲であることが好ましい。
【００２９】
融着部８１の配置ピッチＰ〔図３（ｂ）参照〕が、幅方向８Ｙにおける融着部８１の長さＷ１に対して、好ましくは０％超、より好ましくは５０％以上であり、また好ましくは１００％以下、より好ましくは９０％以下であり、また好ましくは０％超１００％以下、より好ましくは５０％以上９０％以下である。
融着部８１の配置ピッチＰは、幅方向８Ｙにおける剤非配置部８３の長さＷ２に対して、好ましくは１００％以上、より好ましくは１５０％以上であり、また好ましくは１０００％以下、より好ましくは４００％以下であり、また好ましくは１００％以上１０００％以下、より好ましくは１５０％以上４００％以下である。
融着部８１の配置ピッチＰは、幅方向８Ｙにおける剤配置部８４の長さＷ３に対して、好ましくは０％超、より好ましくは８０％以上であり、また好ましくは１０００％以下、より好ましくは４００％以下であり、また好ましくは０％超１０００％以下、より好ましくは８０％以上４００％以下である。
融着部８１の配置ピッチＰは、長手方向８Ｘに隣り合う融着部８１どうしの間隔Ｄに対して、好ましくは０％超、より好ましくは１００％以上であり、また好ましくは２００％以下、より好ましくは１５０％以下であり、また好ましくは０％超２００％以下、より好ましくは１００％以上１５０％以下である。
融着部８１の配置ピッチＰは、好ましくは０ｍｍ超、より好ましくは１ｍｍ以上であり、また好ましくは１０ｍｍ以下、より好ましくは４ｍｍ以下であり、また好ましくは０ｍｍ超１０ｍｍ以下、より好ましくは１ｍｍ超４ｍｍ以下である。
【００３０】
脱衣時におけるサイドシール部８の引き裂きをより容易に行う観点から、サイドシール部８，８の幅方向８Ｙにおける剤非配置部８３の長さＷ２は、以下の範囲であることが好ましい。
幅方向８Ｙにおける剤非配置部８３の長さＷ２は、融着部８１の長さＷ１に対して、好ましくは０％超、より好ましくは２５％以上であり、また好ましくは１００％以下、より好ましくは７５％以下であり、また好ましくは０％超１００％以下、より好ましくは２５％以上７５％以下である。
幅方向８Ｙにおける剤非配置部８３の長さＷ２は、剤配置部８４の長さＷ３に対して、好ましくは０％超、より好ましくは８０％以上であり、また好ましくは１０００％以下、より好ましくは１２０％以下であり、また好ましくは０％超１０００％以下、より好ましくは８０％以上１２０％以下である。
幅方向８Ｙにおける剤非配置部８３の長さＷ２は、好ましくは０ｍｍ超、より好ましくは１ｍｍ以上であり、また好ましくは９ｍｍ以下、より好ましくは３ｍｍ以下であり、また好ましくは０ｍｍ超９ｍｍ以下、より好ましくは１ｍｍ以上３ｍｍ以下である。
【００３１】
上記と同様の観点から、幅方向８Ｙにおける剤配置部８４の長さＷ３は、融着部８１の長さＷ１に対して、好ましくは０％超、より好ましくは２５％以上であり、また好ましくは１００％以下、より好ましくは７５％以下であり、また好ましくは０％以上１００％以下、より好ましくは２５％以上７５％以下である。
また、幅方向８Ｙにおける剤配置部８４の長さＷ３は、好ましくは０ｍｍ超、より好ましくは１ｍｍ以上であり、また好ましくは９ｍｍ以下、より好ましくは５ｍｍ以下であり、また好ましくは０ｍｍ以上９ｍｍ以下、より好ましくは１ｍｍ以上５ｍｍ以下である。
【００３２】
サイドシール部８，８は、腹側部Ａの両側部を構成するシートと背側部Ｂの両側部を構成するシートとが重なった重合部７が融着して形成されている。本実施形態のサイドシール部８は、図４（ａ）及び（ｂ）に示すように、内層シート６２の折り返していない部分６２ｃ，６２ｄ、外層シートの折り返していない部分６１ｃ，６１ｄ、内層シート６２の折り返し部分６２ａ，６２ｂ、及び外層シートの折り返し部分６１ａ，６１ｂが積層された、シートの積層枚数が８枚の領域Ｔ１と、外層シートの折り返していない部分６１ｃ，６１ｄ及び内層シートの折り返していない部分６２ｃ，６２ｄが積層された、シートの積層枚数が４枚の領域Ｔ２とを有している。また、図４（ｃ）に示すように、横方向Ｙにおける、シートの積層枚数が８枚の領域Ｔ１の融着部８１の長さＷ１ａは、シートの積層枚数が４枚の領域Ｔ２における融着部８１の長さＷ１ｂよりも短い。斯かる構成により、サイドシール部８の強度をより適度なものにすることができ、パンツ型着用物品の脱衣時におけるサイドシール部８の引き裂きをより容易に行うことができる。このように、サイドシール部８，８は、該サイドシール部８，８を構成するシートが複数枚積層した多数層領域Ｔ１と、該多数層領域Ｔ１よりもシートの枚数が少ない少数層領域Ｔ２とを有しており、多数層領域Ｔ１は、少数層領域Ｔ２よりもサイドシール部８，８の幅方向８Ｙにおける融着部８１の長さが短いことが好ましい。
【００３３】
上記の効果をより確実に奏させるため、幅方向８Ｙにおける多数層領域Ｔ１の融着部８１の長さＷ１ａ〔図４（ｂ）参照〕は、少数層領域Ｔ２の融着部８１の長さＷ１ｂ〔図４（ｂ）参照〕に対して、好ましくは０％超、より好ましくは５０％以上であり、また好ましくは１００％以下、より好ましくは７０％以下であり、また好ましくは０％超１００％以下、より好ましくは５０％以上７０％以下である。
また、幅方向８Ｙにおける多数層領域Ｔ１の融着部８１の長さＷ１ａは、好ましくは０．５ｍｍ以上、より好ましくは１ｍｍ以上であり、また好ましくは５ｍｍ以下、より好ましくは３ｍｍ以下であり、また好ましくは０．５ｍｍ以上５ｍｍ以下、より好ましくは１ｍｍ以上３ｍｍ以下である。
また、幅方向８Ｙにおける少数層領域Ｔ２の融着部８１の長さＷ１ｂは、好ましくは２ｍｍ以上、より好ましくは２．５ｍｍ以上であり、また好ましくは５ｍｍ以下、より好ましくは４ｍｍ以下であり、また好ましくは２ｍｍ以上５ｍｍ以下、より好ましくは２．５ｍｍ以上４ｍｍ以下である。
【００３４】
接合強度低減剤６６は、サイドシール部８，８を構成するシートの枚数に応じてその量を調節することが好ましい。具体的には、積層されたシートの枚数が多い部位ほど、接合強度低減剤６６の量を多くすることが好ましい。例えば、サイドシール部８，８を形成するシール工程において、多数層領域Ｔ１は相対的に高圧が加わり、それに起因して相対的に多量の熱が付与される。この多数層領域Ｔ１に、接合強度低減剤６６を多く配することにより、多数層領域Ｔ１に付与される熱をより低減することができる。
【００３５】
上記と同様の観点から、多数層領域Ｔ１は、少数層領域Ｔ２より接合強度低減剤６６の量が多いことが好ましい。接合強度低減剤６６の量は、サイドシール部８の単位面積中に含まれる接合強度低減剤６６の量（ｇ／ｍ２）である。多数層領域Ｔ１又は少数層領域Ｔ２に、接合強度低減剤が配されているシート間が複数ある場合、接合強度低減剤６６の量は、複数のシート間に存する接合強度低減剤６６の合計量である。多数層領域Ｔ１及び少数層領域Ｔ２の各領域を腹側部Ａ側と背側部Ｂ側とに分けて考えたときにも、腹側部Ａ及び背側部Ｂのそれぞれにおいて、多数層領域Ｔ１は、少数層領域Ｔ２より接合強度低減剤６６の量が多いことがより好ましい。
【００３６】
また、多数層領域Ｔ１における接合強度低減剤６６の量と、少数層領域Ｔ２における接合強度低減剤６６の量との差は、好ましくは１ｇ／ｍ２以上、より好ましくは３ｇ／ｍ２以上あり、また好ましくは９９ｇ／ｍ２以下、より好ましくは３０ｇ／ｍ２以下であり、また好ましくは１ｇ／ｍ２以上９９ｇ／ｍ２以下、より好ましくは３ｇ／ｍ２以上３０ｇ／ｍ２以下である。
多数層領域Ｔ１における接合強度低減剤６６の量は、少数層領域Ｔ２における接合強度低減剤６６の量に対して、好ましくは１２０％以上、より好ましくは２００％以上であり、また好ましくは１０００％以下、より好ましくは５００％以下であり、また好ましくは１２０％以上１０００％以下、より好ましくは２００％以上５００％以下である。
また、多数層領域Ｔ１における接合強度低減剤６６の量は、好ましくは３ｇ／ｍ２以上、より好ましくは６ｇ／ｍ２以上であり、また好ましくは１００ｇ／ｍ２以下、より好ましくは３０ｇ／ｍ２以下であり、また好ましくは３ｇ／ｍ２以上１００ｇ／ｍ２以下、より好ましくは６ｇ／ｍ２以上３０ｇ／ｍ２以下である。
また、少数層領域Ｔ２における接合強度低減剤６６の量は、好ましくは１ｇ／ｍ２以上、より好ましくは３ｇ／ｍ２以上であり、また好ましくは６０ｇ／ｍ２以下、より好ましくは２０ｇ／ｍ２以下であり、また好ましくは１ｇ／ｍ２以上６０ｇ／ｍ２以下、より好ましくは３ｇ／ｍ２以上２０ｇ／ｍ２以下である。
【００３７】
パンツ型着用物品の脱衣時におけるサイドシール部８，８の引き裂きをより容易にする観点から、サイドシール部８，８は、ウエスト開口部ＷＯ側の端部７２におけるシール強度が１８Ｎ以下であることが好ましい。ウエスト開口部ＷＯ側の端部７２は、サイドシール部８，８のウエスト開口部の周縁端Ｗｅから縦方向Ｘの下端側に向かって、１５ｍｍまでの部分である。また、ウエスト開口部ＷＯ側の端部７２におけるシール強度は、好ましくは１８Ｎ以下、より好ましくは１０Ｎ以下、さらに好ましくは８Ｎ以下である。
【００３８】
＜シール強度の測定方法＞
２２℃６５％ＲＨ環境下にて、各弾性部材の収縮によって形成されたギャザーが消失する程度まで緊張させたパンツ型着用物品を、図１に示す中心線ＣＬに沿って切断して、横方向Ｙに半分になったパンツ型着用物品の測定片を切り出す。この切り出された測定片の中心にサイドシール部８が位置する。この測定片を、横方向Ｙが引張方向となるように、引張試験機（例えば、オリエンテック社製テンシロン引張り試験機「ＲＴＡ−１００」）の上部チャック及び下部チャックに取り付ける。この際、ウエスト開口部ＷＯの周縁端Ｗｅから縦方向Ｘに１５ｍｍまでの部分を両チャックで把持し、サイドシール部８が両チャック間の中心に位置するように取付ける。また、両チャック間は３５ｍｍとする。そして、下部チャックの位置を固定したまま、上部チャックを１０ｍｍ／ｍｉｎの速度で上昇させる。上部チャックの上昇が進むにつれて、サイドシール部８が縦方向Ｘに破断していき、腹側部Ａの側部と背側部Ｂの側部とに分離していく。このサイドシール部８が破断した部分の長さがに４０ｍｍになるまで破断強度を測定し、その最大値を求める。この測定を５回繰り返し、その平均値を縦方向Ｘにおけるサイドシール部８のウエスト開口部ＷＯ側の端部７２のシール強度とする。
【００３９】
重合部７の融着方法としては、ヒートエンボス、超音波エンボス、高周波エンボス等が用いられる。おむつ１においては、サイドシール部８の形成に、図５（ａ）、（ｂ）に示す装置７００が用いられている。装置７００は、図５（ａ）、（ｂ）に示すように、シールブロック７１０とアンビルブロック７５０とを有しており、おむつ１の連続体１００にヒートエンボスを行うことにより、サイドシール部８を形成する。
シールブロック７１０及びアンビルブロック７５０は、装置７００の備える制御部（不図示）によってそれぞれ加熱温度が制御されている。シールブロック７１０のシール面には、図３（ａ）、（ｂ）に示すサイドシール部８の形状に対応するように形成された凸部（不図示）が設けられており、おむつのサイドシール部Ｓにシールパターンの模様を形成する。
【００４０】
装置７００は、図５（ａ）、（ｂ）に示すように、シールブロック７１０と、表面がフラットなアンビルブロック７５０との間に、帯状のおむつ１の連続体１００を通し、腹側部Ａの側部と背側部Ｂの側部とを重ね合わせた重合部７の位置でエンボスすることにより、サイドシール部８を形成する。シールブロック７１０は融着部８１を形成する凸部を有しており、この凸部は、帯状のおむつ１の連続体１００の流れ方向Ｑと直交する方向と、図３（ａ）、（ｂ）に示すサイドシール部８の長手方向８Ｘとが対応するように形成されている。シールブロック７１０及びアンビルブロック７５０間において、おむつ１の連続体１００をエンボス加工することにより、一対のシール部が形成される。この一対のシール部８’８’は、切り離し工程においておむつ１の連続体１００を切断位置Ｐｃで切り離した後、おむつ１のサイドシール部８，８となる。
【００４１】
おむつ１の連続体１００は、サイドシール部８，８を構成するシート間に接合強度低減剤を配置した後に上記の重合部７の融着を行う。接合強度低減剤６６は、図４（ａ）、（ｂ）に示すように、サイドシール部８，８を構成するシート間に配置される。また、接合強度低減剤６６は、図５（ａ）、（ｂ）に示す剤配置領域Ｅに存在するように配置される。剤配置領域Ｅは、おむつ１の連続体１００が切り離し工程において切断される切断位置Ｐｃを含み、ヒートシールにより一対のシール部が形成されるシール領域Ｓ’，Ｓ’及びそれらの間に位置する中央領域Ｇを跨ぐ領域である。また、ヒートシールが施されるヒートシール領域ＨＴは、図５（ａ）に示すように、切断位置Ｐｃの両側に位置する２つのシール領域Ｓ’，Ｓ’及び中央領域Ｇを含む領域である。また、ヒートシール領域ＨＴは、剤配置領域Ｅに隣接する剤非配置領域Ｆを含む。剤非配置領域Ｆは、接合強度低減剤６６が配されていない領域であり、ヒートシールが施される領域である。剤配置領域Ｅは、サイドシール部８における剤配置部８４となる領域であり、剤非配置領域Ｆは、剤非配置部８３となる領域である。
上記のように接合強度低減剤６６を剤配置領域Ｅに配することにより、図５（ｂ）に示すように、剤配置領域Ｅにおいては、ヒートシールによって付与される熱Ｎが接合強度低減剤６６によって低減されて、接合強度を低下させることができる。一方、接合強度低減剤６６が配されていない剤非配置領域Ｆにおいては、ヒートシールによって付与される熱Ｎは低減されず、接合強度は低下しない。
【００４２】
接合強度低減剤６６を配置する方法は、通常用いられる方法を特に制限なく用いることができるが、コーターガンを用いて接合強度低減剤６６を塗工する方法が好ましい。斯かる方法により、接合強度低減剤６６の塗工面積、坪量を調整することで、接合強度の調節を容易に行うことができる。
【００４３】
接合強度低減剤６６としては、サイドシール部８，８の形成の際に付与される熱の一部を低減させることができる物質を特に制限なく用いることができる。このような物質として、例えばホットメルト接着剤、ポリウレタン系素剤、石油系樹脂等が挙げられる。
シール工程において発生する熱の低減に加え、シートどうしを接合する観点から、接合強度低減剤６６としてホットメルト接着剤が好ましく用いられる。パンツ型着用物品の製造工程において、通常、ホットメルト接着剤の塗布温度は、サイドシール部８，８を形成するためのヒートシール温度よりも低い。また、ホットメルト接着剤は、通常、少ない塗布量で薄く塗布される。そのため、ホットメルト接着剤はシートに塗布された時点で直ぐに冷め、ヒートシール位置では、更に冷めていることが考えられる。以上の点から、ホットメルト接着剤を接合強度低減剤６６として用いると、ヒートシールによってサイドシール部８を形成するシール工程において発生する熱を低減することができる。
【００４４】
サイドシール部８，８を構成するシートは、通常用いられる材料を特に制限なく用いることができるが、不織布であることが好ましい。脱衣時におけるサイドシール部８，８の引き裂きをより容易とする観点から、サイドシール部８，８を構成するシートは、スパンボンド不織布であることが好ましく、さらに、ポリプロピレン製のスパンボンド不織布であることがより好ましい。ポリプロピレンとしては、α−オレフィン等が挙げられる。また、例えば、ポリプロピレン単体のホモＰＰ繊維のみから形成された不織布シート、少量のエチレン等がプロピレン連鎖中にランダムに取り込まれたランダムＰＰ繊維のみから形成された不織布シート、ホモＰＰ樹脂又はランダムＰＰ樹脂を５０％以上含むが、ホモＰＰ樹脂又はランダムＰＰ樹脂以外の熱可塑性樹脂（例えばポリエチレン樹脂、ポリエステル樹脂等）を混合した芯鞘型複合繊維やサイドバイサイド型複合繊維から形成された不織布シート、ホモＰＰ繊維又はランダムＰＰ繊維を５０％以上含むが、ホモＰＰ繊維又はランダムＰＰ繊維以外の繊維（例えばレーヨン繊維、コットン繊維、ポリエチレン繊維、ポリエステル繊維等）を混綿した繊維から形成された不織布シート等が挙げられる。
ポリプロピレンは、ホモポリマー、ランダムコポリマー、ブロックコポリマーのいずれか１種以上を好ましくは１質量％以上１００質量％以下、より好ましくは５０質量％以上９９質量％以下含んだ樹脂であることが好ましい。また、これらのコポリマーやホモポリマーを混合してもよいし、他の樹脂を混合してもよい。また、プロピレン成分をベースとしたランダムコポリマーとしてエチレンやα−オレフィンと共重合したエチレンプロピレン共重合体樹脂が挙げられる。
【００４５】
スパンボンド不織布はその強度を上げるため、エンボス部が設けられることがある。脱衣時におけるサイドシール部８，８の引き裂きをより容易とする観点から、サイドシール部８，８を構成するシートとして用いられるスパンボンド不織布には、熱圧着部が散点状に形成されていることが好ましい。また、スパンボンド不織布に形成される熱圧着部どうし間の最短距離は、好ましくは６．０ｍｍ以下、より好ましくは４．０ｍｍ以下、さらに好ましくは２．０ｍｍ以下である。
【００４６】
本実施形態のおむつ１は、図２に示すように、液透過性の表面シート２と、液不透過性又は撥水性の裏面シート３と、両シート２，３間に介在する吸収体４とを有する実質的に縦長の吸収性本体５を備えている。
【００４７】
吸収性本体５は、図２に示すように、液透過性の表面シート２、液不透過性又は撥水性の裏面シート３及び両シート２、３間に介在された液保持性の吸収体４を有しており、実質的に縦長である。吸収性本体５は、図２に示すように、外装体６の背側部Ｂから腹側部Ａに亘って配設されており、吸収性本体５の縦方向Ｘ両端部は、外装体６の縦方向Ｘ両端部よりも縦方向Ｘ内方に後退した位置にある。吸収性本体５は、接着剤、ヒートシール、超音波シール等による接合法によって外装体６の内層シート６２に接合されている。
【００４８】
吸収性本体５の縦方向Ｘ両側部には、図２に示すように、液抵抗性又は撥水性の素材で且つ通気性の素材から構成された側方カフス５１，５１が設けられている。各側方カフス５１の自由端部近傍には、側方カフス形成用の弾性部材５２が縦方向Ｘに伸長した状態で配設固定されている。側方カフス５１は、おむつの着用時に自由端部側が起立し、吸収性本体５の幅方向（Ｘ方向）への排泄物の流出を阻止することができる。側方カフス５１形成用シートは、吸収性本体５の幅方向（Ｘ方向）外方側の所定幅の部分が、非肌当接面側に巻き込まれて、固定されている。
【００４９】
表面シート２、裏面シート３、吸収体４、側方カフス５１形成用シートとしては、使い捨ておむつ等の吸収性物品に従来用いられるものを特に制限なく用いることができる。例えば、表面シート２としては、液透過性の不織布や、開孔フィルム、これらの積層体等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものを、ティッシュペーパーや透水性の不織布等の被覆材で包んでなるもの等を用いることができる。側方カフス５１形成用シートとしては、伸縮性のフィルム、不織布、織物またはそれらの積層シート等を用いることができる。
【００５０】
側方カフス形成用の弾性部材５２、ウエスト弾性部材６３、レッグ弾性部材６４、胴回り部弾性部材６５としては、使い捨ておむつ等の吸収性物品に従来用いられるもの等を特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる伸縮性の材料等を用いることができる。
【００５１】
以上、本発明の一実施形態であるおむつ１について主として説明したが、本発明のパンツ型吸収性物品は、上述のおむつ１に何ら制限されるものではなく、適宜変更可能である。
【００５２】
本発明のパンツ型吸収性物品は、パンツ型使い捨ておむつの他、パンツ型（ショーツ型も含む）の生理用ナプキン等の他のパンツ型吸収性物品であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００５３】
上述した実施形態に関し、本発明は、更に以下のパンツ型着用物品を開示する。
＜１＞
着用時に着用者の腹側に配される腹側部と背側に配される背側部とを有し、腹側部の両側部と背側部の両側部とが接合されていることによって一対のサイドシール部、ウエスト開口部及び一対のレッグ開口部が形成されているパンツ型着用物品であって、
前記サイドシール部は、前記腹側部と前記背側部とが融着した融着部を有し、且つ該サイドシール部におけるシート間に接合強度低減剤が配されており、
前記接合強度低減剤は、前記サイドシール部の幅方向において、該サイドシール部の外側部分に内側部分より多く配されている、パンツ型着用物品。
【００５４】
＜２＞
前記接合強度低減剤は、前記サイドシール部の幅方向において、前記サイドシール部の前記外側部分に偏って配されている、前記＜１＞に記載のパンツ型着用物品。
＜３＞
前記接合強度低減剤は、前記サイドシール部の長手方向の略全域に亘って配されている、前記＜１＞又は＜２＞に記載のパンツ型着用物品。
＜４＞
前記サイドシール部は、その幅内に、前記接合強度低減剤が配されている前記外側部分と、前記接合強度低減剤が配されていない前記内側部分とを有している、前記＜１＞〜＜３＞の何れか１に記載のパンツ型着用物品。
＜５＞
前記融着部は、前記サイドシール部の長手方向に間欠的に形成されている、前記＜１＞〜＜４＞の何れか１に記載のパンツ型着用物品。
＜６＞
前記融着部は、前記サイドシール部の長手方向に沿う長さより該サイドシール部の幅方向に沿う長さが長い形状である、前記＜５＞に記載のパンツ型着用物品。
＜７＞
前記サイドシール部の幅方向における前記融着部の長さは、前記サイドシール部の長手方向における該融着部の長さに対して、好ましくは１００％以上、より好ましくは４００％以上であり、また好ましくは１０００％以下、より好ましくは８００％以下である、前記＜１＞〜＜６＞の何れか１に記載のパンツ型着用物品。
＜８＞
前記サイドシール部の幅方向における前記融着部の長さは、好ましくは０．５ｍｍ以上、より好ましくは１ｍｍ以上であり、また好ましくは１０ｍｍ以下、より好ましくは４ｍｍ以下である、前記＜１＞〜＜７＞の何れか１に記載のパンツ型着用物品。
＜９＞
前記サイドシール部の長手方向における前記融着部の長さは、好ましくは０．１ｍ以上、より好ましくは０．３ｍｍ以上であり、また好ましくは２ｍｍ以下、より好ましくは０．６ｍｍ以下である、前記＜１＞〜＜８＞の何れか１に記載のパンツ型着用物品。
＜１０＞
前記サイドシール部の長手方向に隣り合う前記融着部どうしの間隔は、好ましくは０．１ｍｍ以上、より好ましくは１ｍｍ以上であり、また好ましくは１０ｍｍ以下、より好ましくは４ｍｍ以下である、前記＜１＞〜＜９＞の何れか１に記載のパンツ型着用物品。
【００５５】
＜１１＞
前記サイドシール部は、前記幅方向の外側部分に、前記接合強度低減剤が配されている剤配置部を有し、前記幅方向の内側部分に、前記接合強度低減剤が配されていないか又は前記接合強度低減剤が前記剤配置部より低坪量に配されている剤非配置部を有している、前記＜１＞〜＜１０＞の何れか１に記載のパンツ型着用物品。
＜１２＞
前記剤配置部における前記接合強度低減剤の坪量は、好ましくは１ｇ／ｍ２以上、より好ましくは２０ｇ／ｍ２以上であり、また好ましくは１００ｇ／ｍ２以下、より好ましくは６０ｇ／ｍ２以下である、前記＜１１＞に記載のパンツ型着用物品。
＜１３＞
前記剤非配置部における前記接合強度低減剤の坪量は、好ましくは０ｇ／ｍ２以上、より好ましくは５ｇ／ｍ２以上であり、また好ましくは５０ｇ／ｍ２以下、より好ましくは３０ｇ／ｍ２以下である、前記＜１１＞又は＜１２＞に記載のパンツ型着用物品。
＜１４＞
前記サイドシール部の幅方向における前記剤非配置部の長さは、前記サイドシール部の幅方向における前記融着部の長さに対して、好ましくは０％超、より好ましくは２５％以上であり、また好ましくは１００％以下、より好ましくは７５％以下である、前記＜１１＞〜＜１３＞の何れか１に記載のパンツ型着用物品。
＜１５＞
前記サイドシール部の幅方向における前記剤非配置部の長さは、前記サイドシール部の幅方向における前記剤配置部の長さに対して、好ましくは０％超、より好ましくは８０％以上であり、また好ましくは１０００％以下、より好ましくは１２０％以下である、前記＜１１＞〜＜１４＞の何れか１に記載のパンツ型着用物品。
＜１６＞
前記サイドシール部の幅方向における記剤非配置部の長さは、好ましくは０ｍｍ超、より好ましくは１ｍｍ以上であり、また好ましくは９ｍｍ以下、より好ましくは３ｍｍ以下である、前記＜１１＞〜＜１５＞の何れか１に記載のパンツ型着用物品。
＜１７＞
前記サイドシール部の幅方向における前記剤配置部の長さは、前記サイドシール部の幅方向における前記融着部の長さに対して、好ましくは０％超、より好ましくは２５％以上であり、また好ましくは１００％以下、より好ましくは７５％以下である、前記＜１１＞〜＜１６＞の何れか１に記載のパンツ型着用物品。
＜１８＞
前記サイドシール部の幅方向における前記剤配置部の長さは、好ましくは０ｍｍ超、より好ましくは１ｍｍ以上であり、また好ましくは９ｍｍ以下、より好ましくは５ｍｍ以下である、前記＜１１＞〜＜１７＞の何れか１に記載のパンツ型着用物品。
＜１９＞
前記サイドシール部の長手方向における前記融着部の配置ピッチが、前記サイドシール部の幅方向における前記剤非配置部の長さより長く、且つ該幅方向における前記融着部の長さより短い、前記＜１１＞〜＜１８＞の何れか１に記載のパンツ型着用物品。
＜２０＞
前記融着部の配置ピッチが、前記サイドシール部の幅方向における前記融着部の長さに対して、好ましくは０％超、より好ましくは５０％以上であり、また好ましくは１００％以下、より好ましくは９０％以下である、前記＜１９＞に記載のパンツ型着用物品。
【００５６】
＜２１＞
前記融着部の配置ピッチは、前記サイドシール部の幅方向における前記剤非配置部の長さに対して、好ましくは１００％以上、より好ましくは１５０％以上であり、また好ましくは１０００％以下、より好ましくは４００％以下である、前記＜１９＞又は＜２０＞の何れか１に記載のパンツ型着用物品。
＜２２＞
前記融着部の配置ピッチは、前記サイドシール部の幅方向における前記剤配置部の長さに対して、好ましくは０％超、より好ましくは８０％以上であり、また好ましくは１０００％以下、より好ましくは４００％以下である、前記＜１９＞〜＜２１＞の何れか１に記載のパンツ型着用物品。
＜２３＞
前記融着部の配置ピッチは、前記サイドシール部の長手方向に隣り合う前記融着部どうしの間隔に対して、好ましくは０％超、より好ましくは１００％以上であり、また好ましくは２００％以下、より好ましくは１５０％以下である、前記＜１９＞〜＜２２＞の何れか１に記載のパンツ型着用物品。
＜２４＞
前記融着部の配置ピッチは、好ましくは０ｍｍ超、より好ましくは１ｍｍ以上であり、また好ましくは１０ｍｍ以下、より好ましくは４ｍｍ以下である、前記＜１９＞〜＜２３＞の何れか１に記載のパンツ型着用物品。
＜２５＞
前記サイドシール部は、該サイドシール部を構成するシートが、ポリプロピレン製のスパンボンド不織布である、前記＜１＞〜＜２４＞の何れか１に記載のパンツ型着用物品。
＜２６＞
前記スパンボンド不織布に、熱圧着部が散点状に形成されており、前記熱圧着部どうし間の最短距離が６．０ｍｍ以下である、前記＜２５＞に記載のパンツ型着用物品。
＜２７＞
前記スパンボンド不織布に形成される熱圧着部どうし間の最短距離は、好ましくは６．０ｍｍ以下、より好ましくは４．０ｍｍ以下、さらに好ましくは２．０ｍｍ以下である、前記＜１＞〜＜２６＞の何れか１に記載のパンツ型着用物品。
＜２８＞
前記サイドシール部は、サイドシール部を構成するシートの積層枚数が複数である多数層領域と、該多数層領域よりもシートの枚数が少ない少数層領域とを有しており、
前記多数層領域は、前記少数層領域よりも前記サイドシール部の幅方向における前記融着部の長さが短い、前記＜１＞〜＜２７＞の何れか１に記載のパンツ型着用物品。
＜２９＞
前記サイドシール部の幅方向における前記多数層領域の前記融着部の長さは、前記サイドシール部の幅方向における前記少数層領域の前記融着部の長さに対して、好ましくは０％超、より好ましくは５０％以上であり、また好ましくは１００％以下、より好ましくは７０％以下である、前記＜２８＞に記載のパンツ型着用物品。
＜３０＞
前記サイドシール部の幅方向における前記多数層領域の前記融着部の長さは、好ましくは０．５ｍｍ以上、より好ましくは１ｍｍ以上であり、また好ましくは５ｍｍ以下、より好ましくは３ｍｍ以下である、前記＜２８＞又は＜２９＞に記載のパンツ型着用物品。
【００５７】
＜３１＞
前記サイドシール部の幅方向における前記少数層領域の前記融着部の長さは、好ましくは２ｍｍ以上、より好ましくは２．５ｍｍ以上であり、また好ましくは５ｍｍ以下、より好ましくは４ｍｍ以下である、前記＜２８＞〜＜３０＞の何れか１に記載のパンツ型着用物品。
＜３２＞
前記サイドシール部は、サイドシール部を構成するシートの積層枚数が複数である多数層領域と、該多数層領域よりもシートの枚数が少ない少数層領域とを有しており、
前記多数層領域は、前記少数層領域よりも前記接合強度低減剤の量が多い、前記＜１＞〜＜３１＞の何れか１に記載のパンツ型着用物品。
＜３３＞
前記多数層領域における前記接合強度低減剤の量と、前記少数層領域における前記接合強度低減剤の量との差は、好ましくは１ｇ／ｍ２以上、より好ましくは３ｇ／ｍ２以上あり、また好ましくは９９ｇ／ｍ２以下、より好ましくは３０ｇ／ｍ２以下である、前記＜１＞〜＜３２＞の何れか１に記載のパンツ型着用物品。
＜３４＞
前記多数層領域における前記接合強度低減剤の量は、前記少数層領域における前記接合強度低減剤の量に対して、好ましくは１２０％以上、より好ましくは２００％以上であり、また好ましくは１０００％以下、より好ましくは５００％以下である、前記＜１＞〜＜３３＞の何れか１に記載のパンツ型着用物品。
＜３５＞
前記多数層領域における前記接合強度低減剤の量は、好ましくは３ｇ／ｍ２以上、より好ましくは６ｇ／ｍ２以上であり、また好ましくは１００ｇ／ｍ２以下、より好ましくは３０ｇ／ｍ２以下である、前記＜１＞〜＜３４＞の何れか１に記載のパンツ型着用物品。
＜３６＞
前記少数層領域における前記接合強度低減剤の量は、好ましくは１ｇ／ｍ２以上、より好ましくは３ｇ／ｍ２以上であり、また好ましくは６０ｇ／ｍ２以下、より好ましくは２０ｇ／ｍ２以下である、前記＜１＞〜＜３５＞の何れか１に記載のパンツ型着用物品。
＜３７＞
前記サイドシール部は、前記ウエスト開口部側の端部におけるシール強度が１８Ｎ以下である、前記＜１＞〜＜３６＞の何れか１に記載のパンツ型着用物品。
＜３８＞
前記サイドシール部は、前記ウエスト開口部側の端部におけるシール強度は、好ましくは１８Ｎ以下、より好ましくは１０Ｎ以下、さらに好ましくは８Ｎ以下である、前記＜１＞〜＜３７＞の何れか１に記載のパンツ型着用物品。
＜３９＞
前記接合強度低減剤がホットメルト接着剤である、前記＜１＞〜＜３８＞の何れか１に記載のパンツ型着用物品。
＜４０＞
前記吸収性物品は、内層シートと外層シートとから構成される外装体を備えており、前記外層シートを構成するシート材は、前記ウエスト開口部の周縁端において、前記内層シート側に折り返されて、前記外層シートの折り返し部分を形成している、前記＜１＞〜＜３９＞の何れか１に記載のパンツ型着用物品。
【００５８】
＜４１＞
前記腹側部における前記外層シートの折り返し部分は、その縦方向の端縁が、前記吸収性本体の縦方向の腹側部側の端縁よりも股下部寄りの位置まで延びている、前記＜４０＞に記載のパンツ型着用物品。
＜４２＞
前記背側部における前記外層シートの折り返し部分は、その縦方向の端縁が、前記吸収性本体の縦方向の前記背側部側の端縁よりも前記股下部寄りの位置まで延びている、前記＜４０＞又は＜４１＞に記載のパンツ型着用物品。
＜４３＞
前記内層シートを構成するシート材は、前記ウエスト開口部の周縁端において、前記外層シートと一体的に、前記内層シート側に折り返されて、前記内層シートの折り返し部分を形成している、前記＜４０＞〜＜４２＞の何れか１に記載のパンツ型着用物品。
＜４４＞
前記腹側部において前記内層シートの折り返していない部分と前記外層シートの折り返していない部分との間、及び前記内層シートの折り返し部分と前記外層シートの折り返し部分との間には、前記接合強度低減剤が配されている、前記＜４０＞〜＜４３＞の何れか１に記載のパンツ型着用物品。
＜４５＞
前記背側部において前記内層シートの折り返していない部分と前記外層シートの折り返していない部分との間、及び前記内層シートの折り返し部分と前記外層シートの折り返し部分との間に前記接合強度低減剤が配されている、前記＜４０＞〜＜４４＞の何れか１に記載のパンツ型着用物品。
【符号の説明】
【００５９】
１  パンツ型使い捨ておむつ（パンツ型着用物品）
２  表面シート
３  裏面シート
４  吸収体
５  吸収性本体
５１  側方カフス
５２  側方カフス形成用の弾性部材
６  外装体
６ａ  腹側部の側部
６ｂ  背側部の側部
６１  外層シート
６１ａ，６１ｂ  折り返し部分
６２  内層シート  
６２ａ，６２ｂ  折り返し部分
６３  ウエスト弾性部材
６４  レッグ弾性部材
６５  胴回り部弾性部材
６６  接合強度低減剤
７  重合部
７２  ウエスト開口部側の端部
Ｔ１  多数層領域
Ｔ２  少数層領域
８  サイドシール部
８１  融着部
８３  剤非配置部
８４  剤配置部
【図１】
2018088945.tif 000003
【図２】
2018088945.tif 000004
【図３】
2018088945.tif 000005
【図４】
2018088945.tif 000006
【図５】
2018088945.tif 000007